(57)【要約】      （修正有）【課題】パチンコ遊技場等で使用される椅子のクッションの取付構造に関するもので、構造が比較的簡単で十分な強度が得られ、かつ着脱が従来のものよりも簡単なクッション取付構造を提供すること。【解決手段】椅子本体を構成する支持盤３と、上面側にクッション１が取り付けられた板状の芯材２とを備え、前記支持盤３の上面側には上に開口する係合凹部６が形成された起立片が設けられ、前記芯材２の下面側には、弾性により無理嵌め式に前記係合凹部６を押し広げて係合する係合軸１５が設けられていて、上記係合軸１５を係合凹部６に係合させることにより芯材２を支持盤３に固定する。前記係合軸１５は、芯材２の板面から支持盤側へ突出する突出板に一方の端部が一体的に支持され、他方の端部は自由端となっている。【選択図】図１
2006218201.tif 000002
【特許請求の範囲】
【請求項１】
椅子本体を構成する支持盤と、上面側にクッションが取り付けられた板状の芯材とを備え、前記支持盤の上面側には上に開口する係合凹部が形成された起立片が設けられ、前記芯材の下面側には、弾性により無理嵌め式に前記係合凹部を押し広げて係合する係合軸が設けられ、当該係合軸は、芯材の板面から支持盤側へ突出する突出板に一方の端部が一体的に支持され、他方の端部は自由端となっていることを特徴とする椅子のクッション取付構造。
【請求項２】
支持盤の適所に横向きの位置決め穴が設けられ、芯材にはこの位置決め穴に横方向から嵌合する位置決め部材が設けられている請求項１に記載の椅子のクッション取付構造。
【発明の詳細な説明】
【技術分野】
【０００１】
本発明は、パチンコ遊技場等で使用される椅子のクッションの取付構造に関するものである。
【背景技術】
【０００２】
従来古くから採用されてきた椅子のクッションの取付構造は、ウレタン等のクッション材中に金属線材を埋設し、該線材を椅子本体に設けられた取付片に支持させる構造であった。しかしながら、この取付構造では、金属線材を所定形状に折り曲げてクッション材中に埋設するため、手間がかかってコストが高くなるという問題点や、金属線材が着座した人に違和感を与えるという問題点があった。
【０００３】
上記従来の取付構造に代るものとして、クッションを芯板で支持し、該芯板と該芯板を載置するフレーム又は支持盤にそれぞれ設けた係合用部材を互いに係合させることにより取り付ける構造が採用されるようになった。このようなものとして、例えば特許文献１及び２に開示されているように、種々の構造が提案されている。
【０００４】
【特許文献１】実開平２−１０６９３１号公報
【特許文献２】実用新案登録第２５６７１３８号公報
【０００５】
上記特許文献１に記載されている構造は、シートクッションが載置されるシートフレームに係合穴を設け、シートクッションの下面側に上記係合穴に嵌挿される係合部材を突設し、シートフレーム上に載置したクッションを上記係合部材と係合穴との係合により固定するものである。また、特許文献２に記載の構造は、硬質弾性プラスチックで成形された支持盤の上面に鉤孔状の係合孔を切欠形成した複数の山形板状の起立片を突設し、クッション材を止着した板状の芯材には前記起立片の先端部が遊嵌する開孔と、該開孔を横切る係合軸を設けたもので、この係合軸は、断面形状が上下に長い楕円形状で、その長径が芯材の厚さよりも大きく、さらに該係合軸の両端部に芯材に連なる補強リブを一体成形したものである。
【発明の開示】
【発明が解決しようとする課題】
【０００６】
しかしながら、従来公知の構造は、それぞれ一長一短があった。例えば上記特許文献１に記載の構造は、板状の係合部材を係合穴に嵌合するものであるが、両者が固定されるわけではないので、ガタツキが生じるおそれがあり、取付強度も十分ではないと考えられる。また、上記特許文献２に記載の構造は、係合軸の両側が開孔の縁部に形成した補強リブに一体成形されているもので、構造的に複雑で、コストが高くなると考えられる。しかも、この構造では、係合軸の両端部が補強リブに一体成形されているので、当該係合軸の自由度が少なく、一旦係合孔に係合軸を係合すると、取り外しがきわめて困難であった。遊技場等で使用されるこの種の椅子は、シートが汚れたり煙草の火で焼かれたりすることが多く、シートの張り替え等をしばしば行っているが、上記のように、両端部を固定した係合軸を係合孔に嵌着する方式では、クッションやシートを取り付けた芯材を椅子本体の支持盤から取り外すのに手間がかかり、作業が煩雑となるという問題点がある。
【０００７】
そこで本発明は、係合軸と係合凹部との係合でクッションを支持盤に固定するものでありながら、構造が比較的簡単で十分な強度が得られ、かつ着脱が従来のものよりも簡単なクッション取付構造を提供することを課題としている。
【課題を解決するための手段】
【０００８】
上記課題を解決するため、本発明は次のような構成を採用した。すなわち、請求項１に記載の椅子のクッション取付構造は、椅子本体を構成する支持盤と、上面側にクッションが取り付けられた板状の芯材とを備え、前記支持盤の上面側には上に開口する係合凹部が形成された起立片が設けられ、前記芯材の下面側には、弾性により無理嵌め式に前記係合凹部を押し広げて係合する係合軸が設けられ、当該係合軸は、芯材の板面から支持盤側へ突出する突出板に一方の端部が一体的に支持され、他方の端部は自由端となっていることを特徴としている。また、請求項２に記載の取付構造は、上記請求項１の構成に加えて、支持盤の適所に横向きの位置決め穴が設けられ、芯材にはこの位置決め穴に横方向から嵌合する位置決め部材が設けられているものである。
【発明の効果】
【０００９】
本発明に係る椅子のクッションの取付構造は、係合凹部に係合する係合軸が、一方の端部のみが支持された片持ち構造であるから、構造的に簡単であり、コストも安くすることができる。また、係合軸は、片持ち状であるから、自由端側が僅かに撓むことが可能である。このため、係合凹部に対する自由度が向上し、支持盤に取り付けたクッション（芯材を介して取り付けられている）の着脱が容易である。
【発明を実施するための最良の形態】
【００１０】
以下、本発明の実施形態について、図面に基づいて具体的に説明する。図１は椅子の着座部の構造を表すもので、ウレタン等のクッション１を取り付けた板状芯材２が支持盤３に取り付けられるようになっている。支持盤３の下側には該支持盤を支持する脚（図示を省略）が設けられている。
【００１１】
支持盤３は硬質弾性プラスチック材料（例えばポリプロピレン）で作られており、コーナー部が丸みを帯びた概略角型の浅皿状に形成され、その内部に平面視碁盤目状の補強リブ４が形成されている。
【００１２】
支持盤３には適所に補強リブを兼ねた起立片５が立設され、この起立片５に係合凹部６が形成されている。係合凹部６は、概略円形の係合孔６ａと、該係合孔の上部から起立片５の上端部に開口する溝部６ｂとで構成されている。溝部６ｂの幅は、係合孔６ａの直径よりも短く、係合凹部６は全体として鍵穴状に形成されている。図示例では、係合凹部６は５個所に設けられているが、この数は必要に応じて適宜増減することができる。
【００１３】
支持盤３の適所（図示例では、椅子の後端部すなわち背当ての基部付近）には、位置決め穴７が複数個所（図示例では２個所）に設けられている。この位置決め穴７は、支持盤の後部寄りに一体に設けたブロック８に形成されているもので、支持盤３の中央側に向かって開口する横向き（上下方向と直交する方向）の窓状開口として形成されている。この位置決め穴７には、後述の位置決め部材が嵌合する。
【００１４】
板状の芯材２もポリプロピレン等の硬質弾性プラスチック材料で作られるもので、その中央部には角穴１０が開けられており、この角穴１０の部分ではクッション１が露出している。また、芯材２の前記支持盤の係合凹部６に対向する位置には係合軸１５が設けられている。この係合軸１５は、芯材２の板面から立ち上がる突出板１７の板面から横向きに伸び出している。なお、突出板１７が形成されている部分には、上記角穴１０よりも小面積の穴１６が形成されていて、この部分でもクッション１が露出している。
【００１５】
上記係合軸１５が突設された突出板１７の裏面側にはリブ１８が設けられている。これら突出板１７、係合軸１５及びリブ１８は、芯材２と一体成形されている。図２からわかるように、係合軸１５は一方の端部のみが前記突出板１７に一体となって支持されており、反対側の端部は自由端となっている。すなわち、この係合軸１５は、片持ち梁状に突出板１７に支持されていることになる。なお、突出板１７の裏面側のリブ１８は、所定の間隔で２枚設けられており、それぞれが突出板１７及び芯材２と一体となっている。このため、突出板１７の厚みがそれほど大きくなくても十分な強度が得られる。
【００１６】
芯材２の前記支持盤３の位置決め穴７に対向する位置には、位置決め部材２０が設けられている。位置決め部材２０は、芯材２の板面から若干立ち上がる基板２１を備え、該基板の前面側に嵌合板２２が芯材２の板面に沿うように設けられている。嵌合板２２の先端部２２ａは、幅と肉厚を小さくして尖らせてあるので、位置決め穴７に挿入しやすい。また、基板２１の裏面側には、３枚のリブ２３が設けられている。これら基板２１、嵌合板２２及びリブ２３も芯材２と一体成形されている。
【００１７】
このクッション取付構造は、クッション１を取り付けた板状の芯材２を係合軸１５と係合凹部６との係合により椅子本体の支持盤３に取り付けるものである。この場合、位置決め機構を構成する位置決め部材２０の嵌合板２２が位置決め穴７に嵌合することにより、支持盤３に対し芯材２が位置決めされる。芯材２の取付に際しては、まず位置決め部材２０を位置決め穴７に嵌合しつつ芯材２を支持盤３に押し付ける。すると、芯材２の係合軸１５が支持盤３の係合凹部６に無理嵌め式に嵌り込み、両者が係合する。係合凹部６の溝部６ｂの幅は係合軸１５の径よりも小さいため、係合時に溝部６ｂが弾性的に押し広げられ、係合軸１５が概略円形の係合孔６ａに嵌り込んで安定するのである。このため、係合凹部６の溝部６ｂの幅と係合軸１５の径とは、適度の力を加えることで係合軸１５が溝部６ｂを上下に通過することができ、しかも一旦係合孔６ａに嵌り込んだときは、簡単には逸脱しないような寸法比としておく。
【００１８】
次に、芯材２を支持盤３に取り付けた使用状態から、何らかの理由で芯材２を取り外さなければならなくなったときは、支持盤３を固定した状態で、芯材２を引き上げればよい。すると、係合軸１５が上向きに引っ張られるため、係合凹部６の溝部６ｂを通って該溝部の開口部から抜け出る。このとき、同時に位置決め部材２０を位置決め穴７から抜き取るようにする。係合軸１５が係合凹部６から、また位置決め部材２０が位置決め穴７からそれぞれ抜け出すと、芯材２は完全に支持盤３から分離される。上記係合軸１５は、一方の端部のみが固定された片持ち梁状の軸として形成されているので、係合凹部６からの抜き取りが比較的簡単であり、無理な力を加えることによる部材の損傷等が生じにくい。したがって、芯材２自体の交換や、クッションやカバーシートの交換、補修を簡単に行うことができるのである。
【００１９】
以上の説明から明らかなように、このクッション取付構造は、係合軸１５と係合凹部６との係合により、クッションを支持する芯材２と支持盤３とを相互に固定するものであるが、係合軸１５が片持ち梁状に形成されているので、当該係合軸１５自体が若干弾性的に撓むことができる。このため、係合凹部６に対する自由度が高く、その着脱が従来のものに比べて容易であり、椅子のクッションやカバーシートの交換や修理を簡単に行うことができる。また、位置決め穴７と位置決め部材２０の嵌合板２２は、前後方向の移動で嵌合、離脱が行われるので、上下方向の移動で係合、離脱する係合軸１５と係合凹部６の係合操作の支障とならない。
【００２０】
なお、上記実施形態では、係合軸１５を断面円形の軸としたが、断面形状が楕円形の軸や角丸長方形の軸としてもよい。その場合は、係合孔６ａの形状もそれに適したものとしておく。また、上記実施形態では、係合軸１５を芯材２側に設け、係合凹部６を支持盤３側に設けたが、場合によっては、逆に、係合軸１５を支持盤３側に設け、係合凹部６を芯材２側に設けることもできる。
【産業上の利用可能性】
【００２１】
本発明に係る椅子のクッション取付構造は、硬質弾性プラスチック材料等で作った芯材と支持盤とを、それらに一体成形した係合軸と係合凹部の係合により取り付けるものであり、工業生産的に製作することが可能で、遊技場等で使用する椅子や事務椅子等に好適に適用することができる。
【図面の簡単な説明】
【００２２】
【図１】芯材と支持盤の斜視図である。
【図２】係合部の詳細説明図である。
【図３】位置決め構造の説明図である。
【図４】その断面図である。
【符号の説明】
【００２３】
１      クッション
２      芯材
３      支持盤
６      係合凹部
７      位置決め穴
１５      係合軸
２０      位置決め部材
【図１】
2006218201.tif 000003
【図２】
2006218201.tif 000004
【図３】
2006218201.tif 000005
【図４】
2006218201.tif 000006